(57)【特許請求の範囲】
【請求項１】
指標部を施してなる表示板と、この表示板の貫通孔部を介して計器本体に設けられた回転軸の先端側に固定される発光指針と、この発光指針を透過照明するための光源と、この光源と前記発光指針との間に配置される導光体とを備えてなる指示計器において、
前記表示板の中央部に位置する前記貫通孔部の周囲に、前記表示板の外周縁部分に対して凹み面からなる凹設部を形成し、
前記発光指針は透光性の材料により形成されるとともに、前記表示板の指標部に沿って回動指示される指示部と前記回転軸の先端側に固定される指針基部とにより形成され、前記指針基部と前記導光体および前記表示板の貫通孔部の前面側周縁を覆うように指針キャップを取り付け固定し、
前記導光体には、前記光源からの照射光線を受け入れる受光部と、この受光部によって前記導光体内に導光される光線を前記発光指針の指針基部へと射出案内する射出部と、前記受光部によって前記導光体内に導光される光線を前記表示板の前記外周縁部分に対して前記凹み面からなる前記凹設部の表面部分へと導き案内する反射部とを備え、
前記導光体の前記反射部を前記表示板の前記外周縁部分位置より奥まった位置となる前記凹み面からなる前記凹設部の表面部分へと導き案内する位置に配置してなること、を特徴とする指示計器。
【請求項２】
前記導光体の反射部によって反射導光されて射出される前記導光体箇所の表面部分に、シボ加工を施してなることを特徴とする請求項１に記載の指示計器。
【請求項３】
前記導光体の反射部によって反射導光されて射出される前記導光体箇所の表面部分に、発光指針の照明色と異なる色合いからなる着色処理を施してなることを特徴とする請求項１または請求項２に記載の指示計器。
【請求項４】
前記導光体の受光部の表面を凸状に形成してなることを特徴とする請求項１から請求項３のいずれか１項に記載の指示計器。
【請求項５】
前記導光体の受光部の表面を凹状に形成してなることを特徴とする請求項１から請求項３のいずれか１項に記載の指示計器。
【発明の詳細な説明】
【技術分野】
【０００１】
本発明は、たとえば建設機械などの特殊車輌や船舶、あるいは自動車、オートバイ等に搭載され、光源からの照射光線で表示板や指針を照明表示する指示計器に関するものである。
【背景技術】
【０００２】
従来、自動車などの指示計器として、光源からの照射光線で表示板や指針を照明表示する指示計器、特に、照明表示の際に指針の指示状態を見やすくするために光源による照射光線によって指針を透過照明（発光照明）する発光指針タイプによる指示計器が知られている。
【０００３】
指針を照明表示する指示計器の一般的な構成としては、図７および図８に示すように、計器本体１の回転軸２の先端側に固着され、回転軸２を中心に回転する発光指針３と、この発光指針３の背面側に位置し透過照明される目盛や数字や記号などからなる指標部４が施された表示板５と、この表示板５の背面側に位置する硬質の回路基板６と、この回路基板６上に設けられ、それぞれ発光指針３と表示板５を照明する光源である発光ダイオード７，８と、発光指針３を照明するための発光ダイオード７と表示板５側を照明するための発光ダイオード８側の照明領域を区画する合成樹脂製の枠体からなるハウジング９と、このハウジング９に設けられた円筒形の仕切壁９Ａと、によってそれぞれ照明する区域に区画して構成している。
【０００４】
発光指針３は指示部３Ａと回転軸２に固定される指針基部３Ｂが透明な合成樹脂で一体に形成されており、指針基部３Ｂは遮光性の合成樹脂からなる指針キャップ１０で覆われている。指示部３Ａは発光ダイオード７の光を受けて発光するものである。
【０００５】
表示板５は透明な合成樹脂からなる平板状の基板からなり、その表面（図中上側の面）に、目盛や数字あるいは記号などの指標部４箇所に例えば白色の半透過性表示層４Ａを形成し、その指標部４箇所を除いて表示板５の表面全体に遮光性の黒色の地色層（遮光層）４Ｂが施されている。
【０００６】
また指針発光用としての発光ダイオード７は円筒形の仕切壁９Ａの内側に位置し、回転軸２の近傍に回転軸２を中心として円形状に取り巻いて複数設けられ、この発光ダイオード７の照射光線を指針３側へと導くための導光体１１が前記円筒形の仕切壁９Ａの内側に配設されている。また、表示板５の指標部４を透過照明する発光ダイオード８は円筒形の仕切壁９Ａの外側を円形状に取り巻いて複数設けられ、この発光ダイオード８からの照射光線を表示板５の指標部４側へと導くための導光体１２が配設され、この導光体１２は前記枠体からなるハウジング９と一体に形成されたライトケース９Ｂに支持されている。
【０００７】
このように構成することにより、従来の指示計器にあっては、表示板５の表面側において指標部４である文字，数字，目盛あるいは記号などが背面側から光源（発光ダイオード８）により透過照明されるものであり、あるいは図示しないが指標部である文字，数字，目盛，記号などと表示板の背景部分である表示板の全面を表示板の前面側に設けた光源によって直接的に照明したり、または間接光により表示板を照明するようにしたものや、これらの照明方式を組み合わせたものなど様々な照明手段が用いて表示板を照明表示するようにしている。この際、発光指針３の指示状態を見やすくするために光源（発光ダイオード７）による照射光線によって導光体１１を介して指針３を透過照明するようにしている。
【０００８】
しかしながら、発光指針３により照明表示の際に明るく光輝するために指針の指示状態が良好に判別できて見やすいという効果があるものの、指針基部３Ｂを目隠しした指針キャップ１０の回りから部分的に洩れた光が視線方向に入ってくるハレーション現象が生じてしまい、折角の指針発光照明による照明効果が半減してしまうという問題がある。すなわち、発光指針３の指針基部３Ｂは指針キャップ１０にて覆われるため、この覆われた箇所からの光洩れは抑えられるが、指針キャップ１０と表示板５との間から光洩れが発生することがある。
【０００９】
この点を考慮するものとして、本願出願人はその光洩れ対策として、たとえば特許文献１などに示されているように、遮光性のリング状に壁を指針の回動中心領域を覆う指針キャップの内側に位置するように表示板に設けて構成することにより、リング状の壁と指針キャップの立ち上がり壁部とによって迷路状とし、指針と表示板との間からの光洩れを抑制することができるようにしたものを提案している。
【特許文献１】特開２００４−３０１６４３号公報
【発明の開示】
【発明が解決しようとする課題】
【００１０】
ところで、特許文献１などからなる指示計器にあっては、表示板上の指針照明時において、リング状の壁の寸法設定、指針キャップとの隙間の間隔設定や迷路状のラップ代などの寸法設定など配設位置の調整・設定などが大変であり、また、組み付け部品の寸法バラツキや配設位置の条件によっては部分的に光が洩れてしまうことも想定され、指示計器の照明効果を損ねてしまうことがある。
【００１１】
そこで本発明は、前述の課題に対して対処するため、発光指針のための光源からの照射光線により指針照明（透過照明）を行うとともに、発光指針のための光源からの照射光線を利用することによって指針キャップの外郭部分に位置する表示板上の表面部分の一部を環状に照明表示することを可能とし、見栄えを良好とし得る斬新な指示計器を提供することを目的とする。
【課題を解決するための手段】
【００１２】
本発明は、前述した課題を解決するため、請求項１の発明では、指標部を施してなる表示板と、この表示板の貫通孔部を介して計器本体に設けられた回転軸の先端側に固定される発光指針と、この発光指針を透過照明するための光源と、この光源と前記発光指針との間に配置される導光体とを備えてなる指示計器において、前記表示板の中央部に位置する前記貫通孔部の周囲に、前記表示板の外周縁部分に対して凹み面からなる凹設部を形成し、前記発光指針は透光性の材料により形成されるとともに、前記表示板の指標部に沿って回動指示される指示部と前記回転軸の先端側に固定される指針基部とにより形成され、前記指針基部と前記導光体および前記表示板の貫通孔部の前面側周縁を覆うように指針キャップを取り付け固定し、前記導光体には、前記光源からの照射光線を受け入れる受光部と、この受光部によって前記導光体内に導光される光線を前記発光指針の指針基部へと射出案内する射出部と、前記受光部によって前記導光体内に導光される光線を前記表示板の前記外周縁部分に対して前記凹み面からなる前記凹設部の表面部分へと導き案内する反射部とを備え、前記導光体の前記反射部を前記表示板の前記外周縁部分位置より奥まった位置となる前記凹み面からなる前記凹設部の表面部分へと導き案内する位置に配置してなることを特徴とする指示計器である。
【００１３】
（削除）
【００１４】
（削除）
【００１５】
また請求項２では、請求項１に記載の指示計器において、前記導光体の反射部によって反射導光されて射出される前記導光体箇所の表面部分に、シボ加工を施してなることを特徴とするものである。
【００１６】
また請求項３では、請求項１または請求項２に記載の指示計器において、前記導光体の反射部によって反射導光されて射出される前記導光体箇所の表面部分に、発光指針の照明色と異なる色合いからなる着色処理を施してなることを特徴とするものである。    
【００１７】
また請求項４では、請求項１から請求項３のいずれか１項に記載の指示計器において、前記導光体の受光部の表面を凸状に形成してなることを特徴とするものである。
【００１８】
また請求項５では、請求項１から請求項３のいずれか１項に記載の指示計器において、前記導光体の受光部の表面を凹状に形成してなることを特徴とするものである。
【発明の効果】
【００１９】
本発明では、指針照明用としての光源からの照射光線を導光体内に導光し、その導光体内に案内された照射光線の一部を射出部を介して発光指針の指針基部へと射出案内し、指針基部から発光指針の指示部へと導き入れて光輝させるとともに、指針照明用としての光源からの照射光線の一部を導光体内に案内しながら反射部を介して表示板の表面部分へと導き案内し、指針基部の周縁に位置した表示板の表面部分を明るく照らし出し、外側に行くに連れて薄暗くなるようにぼんやりと照明表示することができる。この際、指針基部と導光体および表示板の貫通孔部の前面側周縁を覆うように指針キャップを取り付け固定してなることにより、発光指針の指針基部と導光体や表示板の貫通孔部の周縁を指針キャップにて目隠しすることができるとともに、指針キャップの回りを取り囲むように表示板の表面部分を環状に明るく照らし出すことができる。また、表示板の中央部に位置する貫通孔部の周囲に、表示板の外周縁部分に対して凹み面からなる凹設部を形成してなることにより、導光体の反射面によって反射導光された照射光線が凹み面からなる凹設部による表示板の表面部分を照らし出すこととなり、その回りの領域に位置した表示板の表面部分が暗くなるため、明暗による濃淡照明による照明効果を際立つように照明することができ、奥行き感のある斬新的な照明効果を期待することができるものであり、見栄えの良好な、斬新的な照明効果を期待することができ、これにより所期の目的を達成することができる。
【発明を実施するための最良の形態】
【００２０】
本発明の請求項１では、指標部を施してなる表示板と、この表示板の貫通孔部を介して計器本体に設けられた回転軸の先端側に固定される発光指針と、この発光指針を透過照明するための光源と、この光源と前記発光指針との間に配置される導光体とを備えてなる指示計器において、前記表示板の中央部に位置する前記貫通孔部の周囲に、前記表示板の外周縁部分に対して凹み面からなる凹設部を形成し、前記発光指針は透光性の材料により形成されるとともに、前記表示板の指標部に沿って回動指示される指示部と前記回転軸の先端側に固定される指針基部とにより形成され、前記指針基部と前記導光体および前記表示板の貫通孔部の前面側周縁を覆うように指針キャップを取り付け固定し、前記導光体には、前記光源からの照射光線を受け入れる受光部と、この受光部によって前記導光体内に導光される光線を前記発光指針の指針基部へと射出案内する射出部と、前記受光部によって前記導光体内に導光される光線を前記表示板の前記外周縁部分に対して前記凹み面からなる前記凹設部の表面部分へと導き案内する反射部とを備え、前記導光体の前記反射部を前記表示板の前記外周縁部分位置より奥まった位置となる前記凹み面からなる前記凹設部の表面部分へと導き案内する位置に配置してなることを特徴とする指示計器であるため、指針照明用としての光源からの照射光線を導光体内に導光し、その導光体内に案内された照射光線の一部を射出部を介して発光指針の指針基部へと射出案内し、指針基部から発光指針の指示部へと導き入れて光輝させるとともに、指針照明用としての光源からの照射光線の一部を導光体内に案内しながら反射部を介して表示板の表面部分へと導き案内し、指針基部の周縁に位置した表示板の表面部分を明るく照らし出しつつ、外側に行くに連れて薄暗くなるようにぼんやりと照明表示することができる。この際、指針基部と導光体および表示板の貫通孔部の前面側周縁を覆うように指針キャップを取り付け固定してなることにより、発光指針の指針基部と導光体や表示板の貫通孔部の周縁を指針キャップにて目隠しすることができるとともに、指針キャップの回りを取り囲むように表示板の表面部分を環状に明るく照らし出すことができる。また、表示板の中央部に位置する貫通孔部の周囲に、表示板の外周縁部分に対して凹み面からなる凹設部を形成してなることにより、導光体の反射面によって反射導光された照射光線が凹み面からなる凹設部による表示板の表面部分を照らし出すこととなり、その回りの領域に位置した表示板の表面部分が暗くなるため、明暗による濃淡照明による照明効果を際立つように照明することができ、奥行き感のある斬新的な照明効果を期待することができるものであり、見栄えの良好な、斬新的な照明効果を期待することができるという効果がある。
【００２１】
（削除）
【００２２】
（削除）
【００２３】
また、請求項１に記載の指示計器において、前記導光体の反射部によって反射導光されて射出される前記導光体箇所の表面部分に、シボ加工を施してなることにより、導光体の射出面である表面箇所にシボ加工を施すことによって均一的に拡散して表示板の表面部分を照らし出すことができ、照明効果の点において照明ムラが生じてしまうという問題を未然に防ぐことができ、見やすく、見栄えの良好な指示計器の照明効果を提供することができる。（請求項２）
【００２４】
また、請求項１または請求項２に記載の指示計器において、前記導光体の反射部によって反射導光されて射出される前記導光体箇所の表面部分に、発光指針の照明色と異なる色合いからなる着色処理を施してなることにより、発光指針の色合いと異なる照明色にて指針基部の周縁に位置した表示板の表面部分を明るく照らし出し、外側に行くに連れて薄暗くなるようにぼんやりと照明表示することができ、見栄えの良好な、斬新的な照明効果を期待することができる。（請求項３）
【００２５】
また、請求項１から請求項３のいずれか１項に記載の指示計器において、前記導光体の受光部の表面を凸状に形成してなることにより、指針照明用としての光源からの照射光線を凸状に形成してなる受光部によって導光した光線を射出部箇所や反射部箇所に集中して案内導光するように設定することも可能となるため、発光指針の照明効率および表示板の表面部分の照明効率を高めつつ見栄えの良好な、斬新的な照明効果を期待することができる。（請求項４）
【００２６】
また、請求項１から請求項３のいずれか１項に記載の指示計器において、前記導光体の受光部の表面を凹状に形成してなることにより、指針照明用としての光源からの照射光線を凹状に形成してなる受光部によって導光した光線を直接的にあるいは導光体の内面反射によって導光体の射出部箇所や反射部箇所へと集中して案内導光することができるように設定することも可能となるため、発光指針の照明効率および表示板の表面部分の照明効率を高めつつ見栄えの良好な、斬新的な照明効果を期待することができる。（請求項５）
【００２７】
以下、添付図面に基づいて、本発明の指示計器を車輌用（自動車）の指示計器に適用した実施例として説明する。なお前述した従来例と同一あるいは相当箇所には同一符号を用いて説明する。
【実施例１】
【００２８】
本発明の第１実施例を図１から図３に示す。同図において、計器本体１の回転軸２の先端側に固着され、回転軸２を中心に回転する発光指針３と、この発光指針３の背面側に位置し透過照明される目盛や数字や記号などからなる指標部４が施された表示板５と、この表示板５の背面側に位置するガラスエポキシ樹脂からなる硬質の回路基板６と、この回路基板６上に設けられ、それぞれ指針３と表示板５を照明する光源である発光ダイオード７，８と、それぞれの計器本体１や表示機器などを区画するとともに、発光指針３を照明するための発光ダイオード７と表示板５側を照明するための照明領域を区画する合成樹脂製の枠体からなるハウジング９と、このハウジング９に設けられた円筒形の仕切壁９Ａと、によってそれぞれ照明する区域に区画して構成している。なお、この実施例においては、前記回路基板６の背後には前記回転軸２を回動する計器本体１が取付固定されている。
【００２９】
発光指針３は指示部３Ａと回転軸２に固定される指針基部３Ｂとが透明な合成樹脂で一体に形成されており、指針基部３Ｂは遮光性の合成樹脂からなる指針キャップ１０で覆われている。この場合、発光指針３の指示部３Ａは発光ダイオード７（光源）の光を受けて発光するように構成されている。
【００３０】
また前記指針キャップ１０には、指針基部３Ｂに係合して固定される略筒状の保持部１０Ａと、この保持部１０Ａと一体に設けられる略平板状の目隠し部１０Ｂとによって形成されている。
【００３１】
表示板５は透明な合成樹脂からなる略平板状の基板からなり、その表面（図中上側の面）に、目盛や数字あるいは記号などの指標部４箇所に例えば白色の半透過性表示層４Ａを形成し、その指標部４箇所を除いて表示板５の表面全体に遮光性の黒色の地色層４Ｂが施されている。また表示板５の貫通孔部５Ａを介して計器本体１に設けられた回転軸２の先端側に発光指針３が固定保持されている。
【００３２】
また前記表示板５には、表示板５の中央部に位置する貫通孔部５Ａの周囲に、表示板５の外周縁部分５Ｃに対して湾曲状の凹み面からなる凹設部５Ｂを形成している。
【００３３】
指針発光用としての発光ダイオード７は円筒形の仕切壁９Ａの内側に位置し、回転軸２の近傍に回転軸２を中心として同心円状に取り巻いて複数設けられ、この発光ダイオード７の照射光線を発光指針３の指針基部３Ｂ側へと導くための導光体１１が前記円筒形の仕切壁９Ａの内側に配設されている。また、表示板５の指標部４を透過照明する発光ダイオード８は円筒形の仕切壁９Ａの外側に位置して回転軸２を中心として円形状に取り巻いて複数設けられ、この発光ダイオード８からの照射光線を表示板５の指標部４側へと導くための導光体１２が配設され、この導光体１２によって表示板５の裏面側へと照射光線を導き、表示板５の指標部４を透過照明するように構成している。また前記導光体１２と前記指針照明用の導光体１１は前記枠体からなるハウジング９と一体に形成されたライトケース９Ｂに支持されている。
【００３４】
また表示板照明用の導光体１２と指針照明用の導光体１１とは表示板５と回路基板６との間に位置し、ポリカーボネートやアクリルなどの透光性の合成樹脂からなり、本実施例では色の付いていない無色透明の材料を使用している。
【００３５】
ところで、この第１実施例における指針照明用としての導光体１１には、光源となる発光ダイオード７からの光を受ける受光部１１Ａと、この受光部１１Ａによって受光した光線を導光体１１内に導き入れ、この導光された光線を発光指針３の指針基部３Ｂへと導いて射出案内する射出部１１Ｂと、受光部１１Ａによって導光体１１内に導光された光線の一部を表示板５の表面部分（凹設部５Ｂ）へと導き案内する反射部１１Ｃとが設けられている。
【００３６】
この場合、受光部１１Ａは、発光ダイオード７と対向する箇所が最も接近状態となりその回りの箇所の距離が徐々に遠ざかるように表面の形状が凸状となるように形成されており、また反射部１１Ｃは、表示板５の貫通孔部５Ａの内側に位置し、その表示板５の凹設部５Ｂの表面上より上側に突き出して配置されるように形成されている。
【００３７】
上記構成からなる第１実施例における指示計器の照明装置にあっては、表示板発光用としての発光ダイオード８から照射される光線は、導光体１２を介してライトケース９Ｂへと光線が射出され、射出された光線は、ライトケース９Ｂの内面側に設けられた湾曲部分にて反射され、表示板５の指標部４へと案内され、指標部４の半透過性表示層４Ａが照射光線によって明るく透過照明される。
【００３８】
また指針発光用としての発光ダイオード７から照射される光線は、導光体１１を介して発光指針３に設けられた指針基部３Ｂへと入光し、指示部３Ａが発光する。この際、光源である発光ダイオード７から照射される光線は、導光体１１の受光部１１Ａを介して導光体１１内へと導光案内され、その導光体１１内に案内された照射光線の一部を射出部１１Ｂを介して発光指針３の指針基部３Ｂへと導き案内され、指針基部３Ｂから発光指針３の指示部３Ａへと導光して光輝させることができる。これと同時に、指針照明用としての光源である発光ダイオード７からの照射光線の一部を導光体１１内に案内しながら反射部１１Ｃを介して表示板５の表面部分（凹設部５Ｂ）へと導き案内し、指針基部３Ｂの周縁に位置した表示板５の表面部分（凹設部５Ｂ）を明るく照らし出しつつ、外側に行くに連れて薄暗くなるように照明表示することができるものであり、見栄えの良好な、斬新的な照明効果を期待することができるという効果がある。
【００３９】
また、表示板５の中央部に位置する貫通孔部５Ａの周囲に、表示板５の外周縁部分５Ｃに対して凹み面からなる凹設部５Ｂを形成してなることにより、導光体１１の反射部１１Ｃによって反射導光された照射光線が凹み面からなる凹設部５Ｂによる表示板５の表面部分を明るく照らし出すこととなり、その回りの領域に位置した表示板５の表面部分が暗くなるため、明暗による濃淡照明による照明効果を際立つように照明することができ、奥行き感のある斬新的な照明効果を得ることができる。
【００４０】
また、受光部１１Ａは、発光ダイオード７と対向する箇所が最も接近状態となりその回りの箇所の距離が徐々に遠ざかるように受光部１１Ａの表面の形状を凸状となるように形成することにより、指針照明用としての光源である発光ダイオード７からの照射光線を凸状に形成してなる受光部１１Ａによって導光した光線を射出部１１Ｂ箇所や反射部１１Ｃ箇所に集中して案内導光するように設定することも可能となり、発光指針３の照明効率および表示板５の表面部分の照明効率を高めつつ見栄えの良好な、斬新的な照明効果を期待することができる。
【００４１】
また、発光指針３には、指針基部３Ｂと導光体１１および表示板５の貫通孔部５Ａの前面側周縁を覆うように指針キャップ１０を取り付け固定してなることにより、発光指針３の指針基部３Ｂと導光体１１や表示板５の貫通孔部５Ａの周縁を指針キャップ１０にて目隠しすることができるとともに、指針キャップ１０の回りを取り囲むように表示板５の表面部分（凹設部５Ｂ）を環状に明るく照らし出すことができる。この際、指針キャップ１０のすぐ回りに位置した箇所では明るく照らし出され、離れるに連れて環状に漸次明るさが暗くなるように変化して照明表示されるため、奥行き感を醸し出しながら明暗照明による照明効果を強調することができる。
【実施例２】
【００４２】
図４および図５は本発明の第２実施例を示すもので、前述して第１実施例と同一部分、均等箇所については同一符号を付して説明する。
【００４３】
同図において、発光ダイオード７は前述した第１実施例と同様にして、円筒形の仕切壁９Ａの内側に位置し、回転軸２の近傍に回転軸２を中心として同心円状に取り巻いて複数設けられ、この発光ダイオード７の照射光線を発光指針３の指針基部３Ａ側へと導くための導光体１１が前記円筒形の仕切壁９Ａの内側に配設されている。
【００４４】
また、表示板５の指標部４を透過照明する発光ダイオード８は円筒形の仕切壁９Ａの外側に位置して回転軸２を中心として円形状に取り巻いて複数設けられている。この場合、発光ダイオード８からの照射光線を直接的に表示板５の指標部４側へと導いて透過照明したり、あるいはハウジング９と一体に形成されたライトケース９Ｂの内面部分を反射面として表示板５の指標部４へと導き透過照明するように構成している。
【００４５】
また前記導光体１１には、前述した第１実施例とほぼ同様にして、光源となる発光ダイオード７からの光を受ける受光部１１Ａと、この受光部１１Ａによって受光した光線を導光体１１内に導き入れ、この導光された光線を発光指針３の指針基部３Ｂへと導いて射出案内する射出部１１Ｂと、受光部１１Ａによって導光体１１内に導光された光線の一部を表示板５の表面部分（凹設部５Ｂ）へと導き案内する反射部１１Ｃとが設けられている。
【００４６】
この第２実施例では、発光ダイオード７と対向する導光体１１の受光部１１Ａの表面には、発光ダイオード７と対向する箇所が凹状となるように形成されている。これにより、指針照明用としての光源である発光ダイオード７からの照射光線を凹状に形成してなる受光部１１Ａによって導光した光線を直接的にあるいは導光体１１の内面反射によって導光体１１の射出部１１Ｂ箇所や反射部１１Ｃ箇所へと集中して案内導光することができるように設定されており、また反射部１１Ｃは、表示板５の貫通孔部５Ａの内側に位置し、その表示板５の表面上（湾曲状の凹み面からなる凹設部５Ｂ）より上側に突き出して配置されるように形成されている。
【００４７】
また導光体１１の反射部１１Ｃによって反射導光されて射出される導光体１１箇所の表面部分（射出面）には、シボ加工１１Ｄが施されており、このシボ加工１１Ｄによって、均一的に拡散して表示板５の表面部分を照らし出すことができ、照明効果の点において照明ムラが生じてしまうという問題を未然に防ぐことができるように構成している。
【００４８】
以上のように第２実施例においては、発光ダイオード７からの照射光線を凹状に形成してなる受光部１１Ａによって導光した光線を直接的にあるいは導光体１１の内面反射によって導光体１１の射出部１１Ｂ箇所や反射部１１Ｃ箇所へと集中して案内導光することができ、導光体１１への照射光線の導入効率を高めることができるものであり、前述した第１実施例と同様にして発光指針３を明るく発光表示することができ、また導光体１１の反射部１１Ｃによって反射導光されて射出される導光体１１箇所の表面部分（射出面）に施されたシボ加工１１Ｄによって、均一的に拡散して表示板５の表面部分（湾曲状の凹み面からなる凹設部５Ｂ）を照らし出すことができ、照明効果の点において照明ムラが生じてしまうという問題を未然に防ぐことができる。
【実施例３】
【００４９】
図６は、本発明の第３実施例を示すもので、前述した各実施例とは全体的な基本構成についてはほぼ同様に構成されている。ここでは導光体１１の反射部１１Ｃによって反射導光されて射出される導光体１１箇所の表面部分（射出面）に、発光指針の照明色と異なる色合い、たとえば青色の色合いからなる着色処理層１１Ｅ（着色処理）を施してなるものであり、また、表示板５の中央部に位置する貫通孔部５Ａの周囲に、表示板５の外周縁部分５Ｃに対して円錐状の凹み面からなる凹設部５Ｂを形成している。
【００５０】
従って、発光指針３の色合いと異なる照明色（青色）にて指針基部３Ｂの周縁に位置した表示板５の表面部分を明るく照らし出し、外側に行くに連れて薄暗くなるようにぼんやりと照明表示することができ、見栄えの良好な、斬新的な照明効果を期待することができる。
【００５１】
なお本発明は、前述した実施例に限定されるものではなく本発明の要旨の範囲内において種々の変形実施が可能であり、たとえば前述した各実施例では、光源として発光ダイオードを用いていたが、たとえば小型の冷陰極管による光源であってもよいし、光源の数や設置位置などは導光体１１の厚みや形状などに合わせて設定すればよい。また各実施例では導光体１１を無色透明に形成していたが、場合によっては、指針照明用と、表示板照明用としての導光体箇所を２色成形し、それぞれ異なる色合いにて照明表示するように構成してもよい。
【００５２】
また、導光体１１に設けられる受光部１１Ａの表面の形状や反射部１１Ｃの角度設定や表面部分の反射面の寸法や曲率などの設定などは、照明輝度や照明エリアの条件によって適宜設定すればよいものである。
【産業上の利用可能性】
【００５３】
また、前述した実施例などにおいて詳述したように、自動車などの車輌用の指示計器を例にして計器の照明装置を説明したが、車輌用計器に限らず船舶用計器あるいは農業用機械や建設機械などの特殊車輌の計器などにおいても適用することが可能である。
【図面の簡単な説明】
【００５４】
【図１】図１は、本発明の第１実施例における指示計器を示す正面図。
【図２】図２は、図１の指示計器の要部を示す断面図。
【図３】図３は、図２の光源から導かれる照明光路を示す概略断面図。
【図４】図４は、本発明の第２実施例における指示計器の要部構造を示す断面図。
【図５】図５は、図４の指示計器における導光体の要部構造および光源から導かれる照明光路を示す概略断面図。
【図６】図６は、本発明の第３実施例における指示計器の要部構造および光源から導かれる照明光路を示す概略断面図。
【図７】図７は、従来の指示計器を示す正面図。
【図８】図８は、図７の指示計器における照明装置の要部を示す断面図。
【符号の説明】
【００５５】
１    計器本体
２    指針軸
３    指針
３Ａ    指示部
３Ｂ    指針基部
４    指標部
４Ａ    半透過性表示層
４Ｂ    地色層
５    表示板
５Ａ    貫通孔部
５Ｂ    凹設部
５Ｃ    外周縁部分
６    回路基板
７    発光ダイオード（光源）
８    発光ダイオード（光源）
９    ハウジング
９Ａ    仕切壁
９Ｂ    ライトケース
１０    指針キャップ
１１    導光体
１１Ａ    受光部
１１Ｂ    射出部
１１Ｃ    反射部
１１Ｄ    シボ加工
１１Ｅ    着色処理
１２    導光体
【図１】
0004826209.tif 000002
【図２】
0004826209.tif 000003
【図３】
0004826209.tif 000004
【図４】
0004826209.tif 000005
【図５】
0004826209.tif 000006
【図６】
0004826209.tif 000007
【図７】
0004826209.tif 000008
【図８】
0004826209.tif 000009